(57)【要約】【課題】設置スペースが大きくなる事態を招くことなく、例えば利用者の購買意欲を喚起する。【解決手段】展示室表示装置は、発光ダイオード４２ａと、発光ダイオード４２ａからの照射光を、幾何学的な遠近視図を描く態様で透過させる光学要素４９とを備えている。発光ダイオード４２ａは、縦横に整列した状態で基板４１に配置してある。光学要素４９は、透過する光を屈折して視図を描く光透過シート４６，４８を２枚備えている。第１の光透過シート４６は、光学素子の軸心が水平方向に沿う態様で配置してあり、且つ第２の光透過シート４８は、光学素子の軸心が垂直方向に沿う態様で配置してある。【選択図】        図８
2007233482.tif 000002
【特許請求の範囲】
【請求項１】
光照射手段と、
幾何学的な遠近視図を描く態様で前記光照射手段からの照射光を透過させる光学要素と
を備えることを特徴とする表示装置。
【請求項２】
光照射手段と、
明暗による遠近視図を描く態様で前記光照射手段からの照射光を透過させる光学要素と
を備えることを特徴とする表示装置。
【請求項３】
前記光照射手段は、基板に所定の間隔を確保して設けた複数の点光源を備えることを特徴とする請求項１または２に記載の表示装置。
【請求項４】
前記光照射手段は、複数の点光源を縦横に整列した状態で基板に配置することを特徴とする請求項３に記載の表示装置。
【請求項５】
前記点光源は、白色光を照射する発光ダイオードで構成したことを特徴とする請求項３に記載の表示装置。
【請求項６】
予め設定した点滅パターンに従って前記光照射手段からの照射光を点滅させる制御手段を備えることを特徴とする請求項１または２に記載の表示装置。
【請求項７】
互いに異なる点滅パターンを複数記憶した記憶手段と、
記憶手段に記憶された点滅パターンを選択する選択手段とを備え、
前記制御手段は、選択手段によって選択された点滅パターンに従って前記光照射手段からの照射光を点滅させることを特徴とする請求項６に記載の表示装置。
【請求項８】
前記光照射手段は、白色の基板に点光源を配設したものであることを特徴とする請求項３に記載の表示装置。
【請求項９】
前記光学要素は、前記光照射手段からの照射光を屈折することによって前記視図を描く光透過シートを備えることを特徴とする請求項１または２に記載の表示装置。
【請求項１０】
前記光透過シートは、横断面に円弧を有する柱状部材の光学素子を複数備えるものであることを特徴とする請求項９に記載の表示装置。
【請求項１１】
互いに光学素子の軸心が交差する態様で複数の光透過シートを重ね合わせることによって前記光学要素を構成することを特徴とする請求項１０に記載の表示装置。
【請求項１２】
前記光学要素は、一方の光学素子が水平方向に沿って延在する一方、他方の光学素子が垂直方向に沿う態様で複数の光透過シートを重ね合わせることによって構成したものであることを特徴とする請求項１１に記載の表示装置。
【請求項１３】
前記光透過シートは、一方の面に前記光学素子を備え、且つ他方の面を平坦に構成することを特徴とする請求項１０に記載の表示装置。
【請求項１４】
平坦に形成した面を前記光照射手段に対向させる態様で前記光透過シートを配置することを特徴とする請求項１３に記載の表示装置
【請求項１５】
前記光透過シートを無色透明の材料によって形成することを特徴とする請求項１０に記載の表示装置。
【請求項１６】
請求項１〜１５のいずれか一つに記載の表示装置を外部から視認できる位置に配設したことを特徴とする自動販売機。
【請求項１７】
前記表示装置を商品展示室の背面に配設したことを特徴とする請求項１６に記載の自動販売機。
【発明の詳細な説明】
【技術分野】
【０００１】
本発明は、表示装置、および自動販売機に関するものである。
【背景技術】
【０００２】
缶入り飲料、ビン入り飲料、またはペットボトル入り飲料等の商品を販売する自動販売機が広く知られている。このような自動販売機は、商品を収容する本体キャビネットと、その本体キャビネットの前面側に配設した外扉とを備えるよう構成してある。外扉には、上記本体キャビネットに収容してある商品の商品見本を備える商品展示室が設けてある。
【０００３】
自動販売機の中には、バックライトを有する表示装置を商品展示室の背面側に配設し、バックライトを点灯することで商品展示室を照明するものがある。
【０００４】
このような自動販売機によれば、バックライトを点灯することで自動販売機、特に商品展示室の商品見本を照らし出すことができ、利用者の購買意欲を喚起することが可能になる。
【発明の開示】
【発明が解決しようとする課題】
【０００５】
ところで、購買意欲を喚起させる手法としては、例えば商品展示室の奥行き寸法を大きく構成して、商品見本を際立たせることが考えられる。しかしながら、こうした自動販売機にあっては、前後方向の寸法を大きく形成しなければならないため、設置スペースの点で必ずしも好ましいものとはいえず、現実には行われていないのが実情である。
【０００６】
そこで、本発明は、上記実情に鑑み、設置スペースが大きくなる事態を招くことなく、利用者の購買意欲を喚起することができる自動販売機およびこれに好適な表示装置を提供することを目的とする。
【課題を解決するための手段】
【０００７】
上記の目的を達成するために、請求項１にかかる表示装置は、光照射手段と、幾何学的な遠近視図を描く態様で前記光照射手段からの照射光を透過させる光学要素とを備えることを特徴とする。
【０００８】
また、本発明の請求項２にかかる表示装置は、光照射手段と、明暗による遠近視図を描く態様で前記光照射手段からの照射光を透過させる光学要素とを備えることを特徴とする。
【０００９】
また、本発明の請求項３にかかる表示装置は、上記請求項１または２において、前記光照射手段は、基板に所定の間隔を確保して設けた複数の点光源を備えることを特徴とする。
【００１０】
また、本発明の請求項４にかかる表示装置は、上記請求項３において、前記光照射手段は、複数の点光源を縦横に整列した状態で基板に配置することを特徴とする。
【００１１】
また、本発明の請求項５にかかる表示装置は、上記請求項３において、前記点光源は、白色光を照射する発光ダイオードで構成したことを特徴とする。
【００１２】
また、本発明の請求項６にかかる表示装置は、上記請求項１または２において、予め設定した点滅パターンに従って前記光照射手段からの照射光を点滅させる制御手段を備えることを特徴とする。
【００１３】
また、本発明の請求項７にかかる表示装置は、上記請求項６において、互いに異なる点滅パターンを複数記憶した記憶手段と、記憶手段に記憶された点滅パターンを選択する選択手段とを備え、前記制御手段は、選択手段によって選択された点滅パターンに従って前記光照射手段からの照射光を点滅させることを特徴とする。
【００１４】
また、本発明の請求項８にかかる表示装置は、上記請求項３において、前記光照射手段は、白色の基板に点光源を配設したものであることを特徴とする。
【００１５】
また、本発明の請求項９にかかる表示装置は、上記請求項１または２において、前記光学要素は、前記光照射手段からの照射光を屈折することによって前記視図を描く光透過シートを備えることを特徴とする。
【００１６】
また、本発明の請求項１０にかかる表示装置は、上記請求項９において、前記光透過シートは、横断面に円弧を有する柱状部材の光学素子を複数備えるものであることを特徴とする。
【００１７】
また、本発明の請求項１１にかかる表示装置は、上記請求項１０において、互いに光学素子の軸心が交差する態様で複数の光透過シートを重ね合わせることによって前記光学要素を構成することを特徴とする。
【００１８】
また、本発明の請求項１２にかかる表示装置は、上記請求項１１において、前記光学要素は、一方の光学素子が水平方向に沿って延在する一方、他方の光学素子が垂直方向に沿う態様で複数の光透過シートを重ね合わせることによって構成したものであることを特徴とする。
【００１９】
また、本発明の請求項１３にかかる表示装置は、上記請求項１０において、前記光透過シートは、一方の面に前記光学素子を備え、且つ他方の面を平坦に構成することを特徴とする。
【００２０】
また、本発明の請求項１４にかかる表示装置は、上記請求項１３において、平坦に形成した面を前記光照射手段に対向させる態様で前記光透過シートを配置することを特徴とする。
【００２１】
また、本発明の請求項１５にかかる表示装置は、上記請求項１０において、前記光透過シートを無色透明の材料によって形成することを特徴とする。
【００２２】
また、本発明の請求項１６にかかる自動販売機は、上記請求項１〜１５のいずれか一つに記載の表示装置を外部から視認できる位置に配設したことを特徴とする。
【００２３】
また、本発明の請求項１７にかかる自動販売機は、上記請求項１６において、前記表示装置を商品展示室の背面に配設することを特徴とする。
【発明の効果】
【００２４】
本発明によれば、光照射手段と、幾何学的な遠近視図を描く態様で前記光照射手段からの照射光を透過させる光学要素とを備えるようにしているため、光照射手段からの照射光が光学要素を通して観者の目に入れば、視図によってあたかも奥行感があるような印象を与えることができる。従って、設置スペースが大きくなる事態を招くことなく、例えば利用者の購買意欲を喚起することができる。
【００２５】
また、本発明によれば、光照射手段と、明暗の差異による遠近視図を描く態様で前記光照射手段からの照射光を透過させる光学要素とを備えるようにしているため、光照射手段からの照射光が光学要素を通して観者の目に入れば、視図によってあたかも奥行感があるような印象を与えることができる。従って、設置スペースが大きくなる事態を招くことなく、例えば利用者の購買意欲を喚起することができる。
【発明を実施するための最良の形態】
【００２６】
以下に添付図面を参照して、本発明にかかる表示装置を適用した自動販売機の好適な実施の形態を詳細に説明する。
【００２７】
図１は、本発明にかかる表示装置を適用した自動販売機の斜視図であり、図２は、その自動販売機の正面図であり、図３は、その自動販売機の側面図である。
【００２８】
ここで例示する自動販売機は、缶入り飲料、ペットボトル入り飲料、またはボトル缶入り飲料等の容器入り飲料を商品として販売するもので、商品を収容する本体キャビネット１０の上部に上部表示装置１１を備えるとともに、本体キャビネット１０の側部に側部表示装置１２を備え、さらに本体キャビネット１０の前面に外扉１３を備えている。
【００２９】
上部表示装置１１は、例えば軸心が鉛直方向に沿って延在する円柱状を成すよう形成してあり、その外周面部に商品の広告を表示する表示領域１１ａを備えている。このような表示領域１１ａには、例えば液晶表示器が設けてある。側部表示装置１２は、例えば矩形状を成すよう形成してあり、商品の広告を表示するものであって、液晶表示器によって構成してある。外扉１３は、本体キャビネット１０の前面開口を開閉する態様で回動することが可能なよう一側縁部を介して本体キャビネット１０に支持させたものである。
【００３０】
この外扉１３には、その前面の他側縁部に紙幣挿通口１５、硬貨投入口１６、返却レバー１７、硬貨返却口１８、表示器１９、および外扉表示装置２０が設けてあるとともに、前面の下方中央部に商品取出口２１が設けてある。紙幣挿通口１５は、利用者が紙幣を挿入するための開口である。この紙幣挿通口１５を通じて挿入された紙幣は、図示せぬ紙幣処理装置において適宜処理されることになる。なお、この紙幣挿通口１５は、利用者に対して紙幣を返却する際の紙幣返却口としても機能する。硬貨投入口１６は、利用者が硬貨を投入するための開口である。この硬貨投入口１６を通じて投入された硬貨は、図示せぬ硬貨処理装置において適宜処理されることになる。返却レバー１７は、紙幣挿通口１５から挿入した紙幣、あるいは硬貨投入口１６から投入した硬貨を返却する場合に操作するものあり、硬貨投入口１６の近傍に配設してある。硬貨返却口１８は、利用者に対して硬貨を返却するための開口であり、硬貨投入口１６よりも下方となる位置に設けてある。表示器１９は、貨幣の入金額、商品の販売中であるか否か、釣り銭があるか否か等々、商品を販売する上で必要となる各種情報を外部に表示するためのものであり、例えば液晶表示器によって構成してある。外扉表示装置２０は、例えば商品の広告を表示するものであり、液晶表示器によって構成してある。商品取出口２１は、利用者が購入した商品を受け取るための開口であり、外扉１３の下部に横長に形成してある。
【００３１】
さらに、外扉１３には、図１および図２に示すように、その前面の上部から中央にわたる部位に商品展示室３０が設けてある。商品展示室３０は、自動販売機が販売している商品の商品見本３１を展示するものであり、その前面に設けた前面開口３０ａに透明板３２を備えている。透明板３２は、光透過性を有する合成樹脂を矩形薄板状に形成したもので、商品展示室３０の前面開口３０ａを常時閉塞する態様で外扉１３に取り付けてある。
【００３２】
上記商品展示室３０の内部には、係止爪１３ａおよび支持体３３が設けてある。係止爪１３ａは、後述する光透過シート４６，４８を係止するためのものであり、図７に示すように、商品展示室３０の上縁に２つ設けてある。図１に示す支持体３３は、透明板３２の両側にそれぞれ上下方向に延在するもので、互いの間を連結する態様の商品見本取付板３４および押ボタンユニット３５を備えている。
【００３３】
商品見本取付板３４は、縦横の大きさが商品展示室３０の縦横の大きさとほぼ同一となるよう構成したもので、例えば光透過性を有した合成樹脂材によって板状に成形してある。この商品見本取付板３４には、図４に示すように、無色透明な矩形板状の合成樹脂材に商品の外観を印刷した商品見本３１を複数取り付けてある。より具体的には、図１および図２に示すように、上段、中段、下段の３列にそれぞれ５個ずつ、合計１５個の商品見本３１を商品見本取付板３４に取り付けてある。なお、矩形板状の合成樹脂材に代えて、図５に示すように、無色透明な略半円筒状の合成樹脂材に商品の外観を印刷した商品見本３１′を商品見本取付板３４に取り付けても良いし、図６に示すように、無色透明な略半円筒状の合成樹脂材および無色透明な矩形板状の合成樹脂材に商品の外観をそれぞれ印刷した商品見本３１″を商品見本取付板３４に取り付けても良い。
【００３４】
押ボタンユニット３５は、図１および図２に示すように、例えば金属材料を用いて外扉１３の幅方向に長尺なフレーム状に形成した取付体３６に複数の押ボタンスイッチ３７を保持させることによって構成したもので、上記商品展示室３０の内部における透明板３２の表面であって、上段、中段、下段となる商品見本３１の列に対応した位置に押ボタンスイッチ３７が配置されるよう支持体３３に取り付けてある。
【００３５】
押ボタンスイッチ３７は、例えば商品の販売可能状態や商品の売切状態を表示する表示装置であるとともに、利用者が押圧操作した場合に個別の選択信号を出力するものである。押ボタンスイッチ３７は、透明板３２に形成した貫通孔を介して商品展示室３０の外部に露出しており、利用者が直接操作することが可能である。
【００３６】
一方、商品展示室３０の背面側には、図７に示すように、展示室表示装置４０が設けてある。展示室表示装置４０は、光照射手段４２と、光学要素４９である２枚の光透過シート４６，４８とを備えて構成してある。
【００３７】
光照射手段４２は、点光源である発光ダイオード４２ａを基板４１に配設することによって構成してある。発光ダイオード４２ａとしては、例えば発光色が白色のものを適用しており、互いに３５ｍｍの間隔で縦横に整列した状態で基板４１に取り付けてある。基板４１は、表面が白色の平板状部材であり、図８および図９に示すように、表面に設けた取付凹部４１ａを介して発光ダイオード４２ａを保持している。
【００３８】
光透過シート４６，４８は、いわゆるレンチキュラーシートと称されるもので、図８〜図１０に示すように、一方のシート表面に複数の光学素子４４を並設してあり、他方のシート表面を平坦に構成してある。この光透過シート４６，４８は、例えばＰＥＴ（Ｐｏｌｙｅｔｈｙｌｅｎｅ  Ｔｅｒｅｐｈｔｈａｌａｔｅ）、アクリル（メチルメタアクリレート）、ポリカーボネート等の無色透明な合成樹脂材によって、縦横の大きさが、上記商品展示室３０の縦横の大きさとほぼ同一となるよう形成してある。光学素子４４は、例えばシリンドリカルレンズであって、横断面に円弧を有する柱状部材の軸心Ｘａが互いに平行になるように一方のシート表面に並設してある。
【００３９】
この実施の形態で示す光透過シート４６，４８は、光学素子４４の並設方向に１ｉｎｃｈ当たり３０個の光学素子４４が設けてあり（いわゆる３０ＬＰＩ（ｌｅｍｓ  ｐｅｒ  ｉｎｃｈ））、且つ厚さＴ１が１．３ｍｍである。光透過シート４６，４８の上縁部には、上記外扉１３の係止爪１３ａに係止するための係止孔が２つ設けてある。
【００４０】
第１の光透過シート４６は、光学素子４４の軸心Ｘａが垂直方向に沿う態様で配置してあり、第２の光透過シート４８は、光学素子４４の軸心Ｘａが水平方向に沿う態様で配置してある。つまり、第１の光透過シート４６および第２の光透過シート４８は、商品展示室３０の奥行方向において、光学素子４４の軸心Ｘａが互いに直角に交差する態様で配置して光学要素４９を構成したものである。それぞれの光透過シート４６，４８は、平坦に構成した他方の面が基板４１の表面と平行になり、且つ平坦に構成した他方の面が上記発光ダイオード４２ａにそれぞれ対向する態様で配設してある。第１の光透過シート４６は、発光ダイオード４２ａから２００ｍｍ離れた位置に配置してあり、第２の光透過シート４８は、第１の光透過シート４６の手前側であって、第１の光透過シート４６に接触するよう配置してある。
【００４１】
ここで、発光ダイオード４２ａからの照射光が第１の光透過シート４６、つまり光学素子４４の軸心Ｘａが垂直方向に沿って延在する光透過シート４６を透過すると、光学素子４４によって水平方向に拡がるように屈折し、図１１に示すように、各発光ダイオード４２ａがそれぞれ左右方向に延在した光の線分（以下、「光線分４２Ｘ」という）として現れるようになる。この光線分４２Ｘは、中央部が明るく、端部に行くに従い漸次暗くなるものである。光透過シート４６に設けた複数の光学素子４４および基板４１に設けた複数の発光ダイオード４２ａは、それぞれ観者からの距離が互いに異なるように配置されるため、観者の視認する光線分４２Ｘも互いに異なる形態となり、左右基調の幾何学的な線図を描くようになる。
【００４２】
具体的には、まず、観者の目線と等しい高さにある複数の発光ダイオード４２ａに関しては、観者から左右方向に離隔するに従って光線分４２Ｘの長さが漸次長くなる態様で水平方向に沿った線図を描くことになる。
【００４３】
一方、観者の目線から外れた位置にある複数の発光ダイオード４２ａに関しては、観者から離隔するに従って光線分４２Ｘが長くなり、且つ観者に近接する部分においてはほぼ左右方向に沿って延在する光線分４２Ｘが、観者から離隔するに従って漸次傾斜するような線図を描くことになる。また、観者から離隔するに従って隣接する光線分４２Ｘの相互間の距離も漸次大きなものとなる。これらの結果、上述の線図を視認した観者は、幾何学的遠近法と同様に遠近感を感じることとなり、第１の光透過シート４６の表面に実際には存在しない奥行感を感じるようになる。
【００４４】
同様に、発光ダイオード４２ａからの照射光が第２の光透過シート４８、つまり光学素子４４の軸心Ｘａが水平方向に沿って延在する光透過シート４８を透過すると、光学素子４４によって鉛直方向に拡がるように屈折し、図１２に示すように、各発光ダイオード４２ａがそれぞれ上下方向に延在した光線分４２Ｘとして現れるようになる。この光線分４２Ｘは、中央部が明るく、端部に行くに従い漸次暗くなるものである。光透過シート４８に設けた複数の光学素子４４および基板４１に設けた複数の発光ダイオード４２ａは、それぞれ観者からの距離が互いに異なるように配置されるため、観者の視認する光線分４２Ｘも互いに異なる形態となり、上下基調の幾何学的な線図を描くようになる。
【００４５】
具体的には、まず、観者の正中面上に位置する複数の発光ダイオード４２ａに関しては、観者から上下方向に離隔するに従って光線分４２Ｘの長さが漸次長くなる態様で上下方向に沿った線図を描くことになる。
【００４６】
一方、観者の正中面から外れた位置にある複数の発光ダイオード４２ａに関しては、観者から離隔するに従って光線分４２Ｘが長くなり、且つ観者に近接する部分においてはほぼ上下方向に沿って延在する光線分４２Ｘが、観者から離隔するに従って漸次傾斜するような線図を描くことになる。また、観者から離隔するに従って隣接する光線分４２Ｘの相互間の距離も漸次大きなものとなる。これらの結果、上述の線図を視認した観者は、幾何学的遠近法と同様に遠近感を感じることとなり、第２の光透過シート４８の表面に実際には存在しない奥行感を感じるようになる。
【００４７】
従って、第１の光透過シート４６および第２の光透過シート４８を重ね合わせて光学要素４９を構成した本実施の形態の展示室表示装置４０にあっては、第１の光透過シート４６によって左右方向に延在した光線分４２Ｘがさらに第２の光透過シート４８によって上下方向に延在されることになり、結局、図１３に示すように、矩形体４２Ｙを重ね合わせたような図を描くようになる。この図は、展示室表示装置４０に対する観者の立つ位置に関わらず、上述した上下方向の遠近感および左右方向の遠近感を併せ持った幾何学的な遠近視図（遠近錯視図）である。しかも、上記矩形対４２Ｙは、上述した光線分４２Ｘを合わせたものだから、中央部が明るく周縁部が暗い、明暗による遠近視図（遠近錯視図）でもある。従って、それらの相乗的な作用により一層奥行感を感じさせるものとなる。
【００４８】
これにより、この発明にかかる展示室表示装置４０によれば、自動販売機の外径寸法を何等変更せずとも、商品展示室３０の背面側に実際には存在しない奥行感を与えることができるようになり、自動販売機を際立たせることで観者の購買意欲を喚起して商品の販売促進を図ることが可能となる。しかも、光照射手段４２として発光ダイオード４２ａを備えたものを適用しているため、消費電力を著しく増大する事態を招来する虞れもない。
【００４９】
図１４は、上述した展示室表示装置４０の制御系を示したブロック図である。図１４に示す制御部（制御手段）５０は、キーボード等の入力手段５１から与えられた指令に基づいて光照射手段４２の駆動を制御するもので、点滅パターン選択部（選択手段）５２および点灯駆動部５３を備えている。点滅パターン選択部５２は、入力手段５１を介して選択指令が与えられた場合に予め記憶手段であるメモリ５４に記憶された複数の点滅パターンデータから該当するものを読み出すものである。点灯駆動部５３は、点滅パターンデータが与えられた場合に、この点滅パターンデータによって規定された態様で複数の発光ダイオード４２ａを点滅動作させるものである。
【００５０】
いま、入力手段５１から例えばすべての発光ダイオード４２ａを常時点灯するための点滅パターン１を選択すると、点滅パターン選択部５２によって点滅パターン１に該当する点滅パターンデータがメモリ５４から読み出され、この点滅パターンデータが点灯駆動部５３に与えられることになる。この結果、展示室表示装置４０においては、すべての発光ダイオード４２ａが同時に点灯することになり、光学要素４９の外表面全域に矩形状のブロック体４２Ｙが常時描かれた視図が現れるようになる。
【００５１】
同様に、横一列ずつ上方から下方に繰り返し流れるように発光ダイオード４２ａを点灯するための点滅パターン２を選択すると、光学要素４９の外表面に矩形状のブロック体４２Ｙが順次上方から下方に落下するような動的な視図が現れるようになる。
【００５２】
以下、互いに異なる複数の点滅パターンを予め設定すれば、展示室表示装置４０の表示態様を任意に変更することが可能となる。従って、例えば自動販売機で販売する商品の種類に応じて展示室表示装置４０の表示態様を変更することで、さらなる商品の販売促進を図ることも可能となる。しかも、例えば自動販売機の設置場所に応じて展示室表示装置４０の表示態様を変更すれば、自動販売機が周囲の景色の中にとけこみ、環境にマッチした自動販売機を提供することも可能となる。
【００５３】
また、点滅パターンを工夫することで光学要素４９の外表面に例えば雨、雪、水、滝、図１５に示すような波、または図１６に示すような波紋等の自然現象を表現し、その表現によって観者をリフレッシュさせたり、観者を癒すことができる。この場合、展示室表示装置４０の表示とともに音出力手段を設け、例えば発光ダイオード４２ａの点滅に応じた音を出力すれば、上述した効果をより一層高めることが可能になる。
【００５４】
なお、上述した実施の形態では、表示装置として、自動販売機の商品展示室３０の背面側に配設した展示室表示装置４０で説明した。しかし、この発明はそれに限られず、上部表示装置１１に適用しても良いし、側部表示装置１２に適用しても良いし、外扉表示装置２０に適用しても良いし、押ボタンスイッチ３７に適用しても良い。例えば、上部表示装置１１の円周面上に縦横に発光ダイオード４２ａを配設し、縦列または横列の単位で発光ダイオード４２ａを順次点滅させることにより、遠方からの自動販売機の認知性を高めることができる。また、自動販売機に適用するものに限られず、表示装置の適用対象は任意であり、例えばパチンコ機に適用しても良いし、パチスロ機に適用しても良いし、ゲーム機に適用しても良いし、ショーケースに適用しても良いし、ショーウインドーに適用しても良い。
【００５５】
また、上述した実施の形態では、発光色が白色の発光ダイオード４２ａを用いるもので説明した。しかし、発光色は白色に限られず、発光ダイオードの発光色はいかなるものであっても良い。また、光源としては発光ダイオード４２ａに限られず、任意のものを適用すれば良い。この場合、必ずしも点光源である必要はなく、棒状の蛍光灯、環状の蛍光灯、または冷陰極蛍光ランプ（（ＣＣＦＬ）Ｃｏｌｄ  Ｃａｔｈｏｄｅ  Ｆｌｕｏｒｅｓｃｅｎｔ  Ｌａｍｐ）を使用しても良いし、ディスプレイや液晶表示器を光源として用いることも可能である。
【００５６】
さらに、上述した実施の形態では、発光ダイオード４２ａを縦横に整列した状態で配置するもので説明した。しかしながら、発光ダイオードの配置態様は縦横に整列させる必要はなく、任意の曲線上に配置したり、規則性なく分散配置するようにしても構わない。
【００５７】
また、上述した実施の形態では、光透過シート４６，４８が、光学素子４４としてシリンドリカルレンズ（横断面に円弧を有する柱状部材）を複数備えるもので説明した。しかし、この発明はそれに限られず、光透過シートが、図１７に示すフレネルレンズである光学素子を複数備えても良いし、例えば図１８に示すように略直方体状であって、凸球面状部４４ａ（球面レンズ）の光学素子４４′を複数有するものでも良いし、図１９に示すように、第１の光透過シート４６が備える光学素子４４の屈折力と、第２の光透過シート４８が備える光学素子４４の屈折力とを合成した光学素子４４″を複数有するものでも良い。図１９に示す光学素子４４″は、上述した上述した実施の形態にある軸心Ｘａが直交するシリンドリカルレンズを合成した例である。図１９に示すような光学素子４４″を縦横に複数備える光透過シートによれば、上記２枚の光透過シート４６，４８が有する光学的な作用を１枚で有することとなる。
【００５８】
さらに、上述した実施の形態では、光透過シート４６，４８として、直線状の軸心Ｘａが互いに平行になるよう光学素子４４を並設することで形成するもので説明した。しかし、この発明は、それに限られず、例えば波状の軸心を有する光学素子が互いに並設された光透過シートや光学素子が同心円状に並設された光透過シート等、その他の形態の光透過シートを適用しても構わない。光透過シートの一方の面が平坦である必要もない。もちろん、光透過シート４６，４８は、平板状に形成する必要はなく、曲面を有する態様で形成しても良いし、平板状に形成したものを折り曲げることで湾曲した状態で配置しても良い。
【００５９】
また、上述した実施の形態では、発光ダイオード４２ａから光を照射している際に、光透過シート４６，４８および発光ダイオード４２ａを静止させているもので説明した。しかし、この発明はそれに限られず、光透過シート４６，４８の一側縁部を回動軸心とし、発光ダイオード４２ａから光を照射している際に、回動軸心を中心として光透過シート４６，４８を回動させても良いし、光透過シート４６，４８の中央部を回転軸心とし、発光ダイオード４２ａから光を照射している際に、回転軸心を中心として光透過シート４６，４８を回転させても良い。移動態様は、回動、回転に限られず、例えば上下方向や左右方向にスライド移動させても良い。さらに、２枚の光透過シート４６，４８を共に移動させる必要はなく、例えば一方の光透過シート４６，４８を他方の光透過シート４６，４８に対して相対的に移動させても良い。もちろん、光透過シート４６，４８を移動させる必要はなく、基板４１を移動可能な態様で配設しても良い。光透過シート４６，４８は透明な樹脂材料を用いて形成すれば実用上問題のない屈折率を得ることができる。また、光透過シート４６，４８の材質は、例えばガラス材料等の無色あるいは有色で透明材料であれば良い。このような光透過シート４６，４８は押し出し成型が可能であり安価である利点がある。上述したように、光学素子として球面レンズを用いた場合には、型押しにより安価に製作することができる。
【００６０】
また、上述した実施の形態では、光透過シート４６，４８の単位長さ当たりの光学素子４４の数が３０ＬＰＩで厚さが１．３ｍｍのもので説明した。しかし、光透過シート４６，４８の単位長さ当たりの光学素子４４の数は３０ＬＰＩに限られず、且つ厚さも１．３ｍｍに限られない。もちろん、光透過シート４６，４８の単位長さ当たりの光学素子４４の数は、均一である必要もない。例えば図２０に示すように、ある部分において軸心Ｘａの間隔がピッチＰ１となる態様で光学素子４４を並設し、別のある部分において軸心Ｘａの間隔が上記ピッチＰ１よりも大きいピッチＰ２となる態様で光学素子４４を並設した光透過シート４６′を用いても良い。
【００６１】
さらに、上述した実施の形態では、光学素子４４の軸心Ｘａが垂直方向に沿う態様で第１の光透過シート４６を配置してあり、光学素子４４の軸心Ｘａが水平方向に沿う態様で第２の光透過シート４８を配置してあるもので説明した。しかし、この発明はそれに限られず、第１の光透過シート４６を、光学素子４４の軸心Ｘａが垂直方向に対して傾斜する態様で配置しても良いし、第２の光透過シート４８を、光学素子４４の軸心Ｘａが水平方向に対して傾斜する態様で配置しても良い。この場合、２枚の光透過シート４６，４８の
光学素子４４の軸心Ｘａが互いに直角とはならない。
【００６２】
また、上述した実施の形態では、平坦に構成した他方の面が発光ダイオード４２ａにそれぞれ対向する態様で光透過シート４６，４８を配置するもので説明した。しかし、この発明はそれに限られず、光学素子４４を素子を備える一方の面が発光ダイオード４２ａに対向するよう光透過シート４６，４８を配置しても良いし、２枚のうち、いずれか一方の光透過シート４６，４８を、平坦に構成した他方の面が発光ダイオード４２ａに対向する態様で配置し、且つ残りの光透過シート４６，４８を、光学素子４４を備える一方の面が発光ダイオード４２ａに対向するよう配置しても良い。
【００６３】
さらに、上述した実施の形態では、第１の光透過シート４６と発光ダイオード４２ａとの間隔が２００ｍｍのもので説明した。しかし、この発明はそれに限られず、第１の光透過シート４６と発光ダイオード４２ａとの間隔は２００ｍｍに限られない。
【００６４】
以下に上記実施の形態のレンチキュラーシートである光透過シート４６，４８の作用について説明する。先ず、図２１に示すように、点光源である１つの光源１４２ａと、軸心Ｘａが垂直方向に沿ったかまぼこ状の１つの光学素子４４とを用いて、光学素子４４の作用を説明する。なお、図２１には、光の集光作用には寄与しないため、光学素子４４における基板となる板状部を省略してある。
【００６５】
光学素子４４は、一方の表面に曲率半径ｒの凸状部を有し、他方の表面を平坦に構成してあるレンズである。光源１４２ａから照射された光は、凸状部によって集束した後、発散することとなる。光源１４２ａから照射された光が集束した領域（以下、単に「光集束領域」という）１３０は、光学素子４４を基準とした場合、光源１４２ａの反対側に形成されることとなる。
【００６６】
次に、図２２を用いて、光学素子４４を透過した光のうち、観者が視認できる光を説明する。ここでは、１つの光源１４２ａと、軸心Ｘａが垂直方向に沿ったかまぼこ状の光学素子４４を複数備えた１枚の光透過シート４６とを用いて説明する。なお、図２２には、光学素子４４の各断面を描いてある。
【００６７】
自然界において、光源から照射された光、または光源から照射され、その後、反射した光のうち、人間（観者）の目に入るものだけが視認されることとなる。ここで、図２２に示す観者ｍ１１，ｍ１３は、その者の目に入る光、換言すれば視認できる範囲において、光学素子４４のひとつひとつによって集束された光の点（以下、単に「光点」という）１３１をそれぞれ視認するため、立つ位置によって視認する態様がそれぞれ異なることとなる。
【００６８】
光学素子４４の曲率半径をｒとし、光源１４２ａと、光源１４２ａから照射された光が入射する位置における光学素子４４との距離をａとし、光学素子４４の焦点距離をｆとし、光学素子４４の材質の屈折率をｎとし、光学素子４４と光集束領域１３０との距離をｂとした場合、次の２式が成り立つ。
１／ｆ＝（ｎ−１）／ｒ      （１）
１／ａ＋１／ｂ＝１／ｆ      （２）
【００６９】
光源１４２ａから照射し、光学素子４４を透過した光は、上記２つの式から把握することができる。また、光源１４２ａから照射され、各光学素子４４で集められた光点１３１の間隔は、光学素子４４の間隔（光学素子のピッチＰ１）で決定される。さらに、点光源である光源１４２ａから照射された光の放射強度の角度依存性は、前方に強く、側方に向かうにつれ減少する。また、光源１４２ａにほぼ対向するよう配置された光学素子４４ａ１と、その光学素子４４の側方に配置され、上記光学素子４４ａ１より光源１４２ａから離れた個所に配置された光学素子４４ａ２とでは、それぞれの光学素子４４ａ１，４４ａ２が光源１４２ａを見込む角度が異なり、光学素子４４ａ１に入射する光量よりも、光学素子４４ａ２に入射する光量の方が少ない。このため、観者ｍ１１の目に見える光点１３１は、光源１４２ａから近いものが明るく見え、光源１４２ａから遠いものが暗く見える。観者ｍ１１，ｍ１３が視認するのは、光点１３１が集まった光線分１４２Ｘであるが、各光点１３１は光学素子４４が有する収差によりぼけが生ずる、また、光学素子４４のピッチＰ１を適当に選択することにより、光点１３１が連なった一本の光線分１４２Ｘに見えることもある。
【００７０】
これら光点１３１による光線分１４２Ｘにおいて、前述したように、観者の視認できる光点１３１は、光源１４２ａに近いものは明るく見え、光源１４２ａから遠いものは暗く見える。平面上に描かれた図形に陰影をつけることによって奥行感を感じることは日常経験することである。上記の例では、光透過シート４６の表面に描かれる明暗がついた線図によって、実際には存在しない奥行感を感じる。
【００７１】
次に、図２３〜図２８を用いて、１枚の光透過シート４６を透過した光源１４２ａからの照射光が、観者の位置によって視認する態様がそれぞれ異なることを説明する。なお、図２３は、光源１４２ａの高さと、視線の高さとがほぼ同一であり、且つ光源１４２ａが正中面上に位置する観者ｍ１１が視認する光点１３１を示す斜視図である。図２４は、光源１４２ａの高さよりも視線の高さが高く、且つ光源１４２ａが正中面上に位置する観者ｍ１２が視認する光点１３１を示す斜視図である。図２５は、光源１４２ａの高さと、視線の高さとがほぼ同一であり、且つ光源１４２ａが正中面上から外れた位置にいる観者ｍ１３が視認する光点１３１を示す斜視図である。図２６は、光源１４２ａの高さよりも視線の高さが高く、且つ光源１４２ａが正中面上から外れた位置にいる観者ｍ１４が視認する光点１３１を示す斜視図である。図２７は、図２６の矢視Ａから見た場合を示す平面図であり、図２８は、図２６の矢視Ｂから見た場合を示す側面図である。なお、図２３〜図２８には、光の集光作用には寄与しないため、光学素子４４における基板となる板状部を省略してあり、光路の把握を容易にするため、理解に必要な部分のみ示してある。
【００７２】
図２６〜図２８に示すように、光源１４２ａの高さよりも視線の高さが高く、且つ光源１４２ａが正中面上から外れた位置にいる観者ｍ１４には、光点１３１およびその光点１３１によって形成される光線分１４２Ｘは、光透過シート４６の表面の奥に延びたように見える。このため、観者ｍ１４は、実際には存在しない奥行感を感じる。さらに、上述した明暗による効果も加わることで、相乗的に奥行感を感じる。
【００７３】
次に、図２９〜図３１を用いて、２枚の光透過シート４６，４８を透過した光源１４２ａからの照射光が、観者の位置によって視認する態様がそれぞれ異なることを説明する。なお、図２９は、光源１４２ａの高さと、視線の高さとがほぼ同一であり、且つ光源１４２ａが正中面上に位置する観者ｍ２１が視認する光点１３１を示す斜視図である。図３０は、光源１４２ａの高さよりも視線の高さが高く、且つ光源１４２ａが正中面上に位置する観者ｍ２２が視認する光点１３１を示す斜視図である。図３１は、光源１４２ａの高さと、視線の高さとがほぼ同一であり、且つ光源１４２ａが正中面上から外れた位置にいる観者ｍ２３が視認する光点１３１を示す斜視図である。図３２は、光源１４２ａの高さよりも視線の高さが高く、且つ光源１４２ａが正中面上から外れた位置にいる観者ｍ２４が視認する光点１３１を示す斜視図である。なお、図２９〜図３１には、光の集光作用には寄与しないため、光学素子４４における基板となる板状部を省略してあり、凸状部も省略してある。
【００７４】
この場合は、一方の光透過シート４６によって横方向に集束された光が、他方の光透過シート４８によって縦方向に集束されることとなるため、光透過シート４８の表面には矩形状の光点１３１が現れることとなる。これらの光点１３１のうち、観者は、目に到達する光のみを視認することとなる。この光点１３１は光学素子４４の持つ収差によりぼけが生ずることと、光学素子４４のピッチＰ１を適当に選択することとにより、連なった一つの面状にも見えることがある。
【００７５】
図３２に示すように、光源１４２ａの高さよりも視線の高さが高く、且つ光源１４２ａが正中面上から外れた位置にいる観者ｍ２３には、「光点１３１によって形成される光面」が光透過シート４８の表面の奥側に延びたように見える。このため、奥行感を感じる。しかも、先に説明した明暗による効果も加わることで相乗的な奥行感を感じる。
【００７６】
なお、照射光で光学要素の表面に描く図形（矩形状のブロック体１３１ａ）が重なり合うよう光源１４２ａを配置することによって、図３３に示すように、一層、観者に奥行感を感じさせることができる。
【図面の簡単な説明】
【００７７】
【図１】本発明の表示装置を適用した自動販売機の斜視図である。
【図２】図１に示した自動販売機の正面図である。
【図３】図１に示した自動販売機の側面図である。
【図４】図１に示した自動販売機が備える商品見本を示す斜視図である。
【図５】商品見本の第１変形例を示す斜視図である。
【図６】商品見本の第２変形例を示す斜視図である。
【図７】図１に示した自動販売機が備える商品展示室の内部を示す斜視図である。
【図８】図１に示した自動販売機が備える表示装置を示す平面図である。
【図９】図１に示した自動販売機が備える表示装置を示す側面図である。
【図１０】図８に示した表示装置が備える光透過シートを示す斜視図である。
【図１１】図１０に示した光透過シートが幾何学的な遠近視図を描く原理を説明するための図であって、その光透過シートを右斜め下方から見た場合を説明する第１の概念図である。
【図１２】図１０に示した光透過シートが幾何学的な遠近視図を描く原理を説明するための図であって、その光透過シートを右斜め上方から見た場合を説明する第２の概念図である。
【図１３】図１０に示した光透過シートが幾何学的な遠近視図を描く原理を説明するための図であって、それらの光透過シートを左斜め上方から見た場合を説明する第３の概念図である。
【図１４】展示室表示装置の制御系を示したブロック図である。
【図１５】展示室表示装置で表示する表示態様の一例を示した概念図である。
【図１６】展示室表示装置で表示する表示態様の他の一例を示した概念図である。
【図１７】光学素子の別の例を示す横断面図である。
【図１８】光学素子のさらに別の例を示す斜視図である。
【図１９】光学素子のまたさらに別の例を示す斜視図である。
【図２０】ピッチが異なる態様で光学素子を並設した光透過シートを示す概念図である。
【図２１】実施の形態で用いた光学素子の作用を示す概念図である。
【図２２】実施の形態で用いた光透過シートの作用を示す概念図である。
【図２３】光源の高さと、視線の高さとがほぼ同一であり、且つ光源が正中面上に位置する観者が視認する光点を示す概念図である。
【図２４】光源の高さよりも視線の高さが高く、且つ光源が正中面上に位置する観者が視認する光点を示す概念図である。
【図２５】光源の高さと、視線の高さとがほぼ同一であり、且つ光源が正中面上から外れた位置にいる観者が視認する光点を示す概念図である。
【図２６】光源の高さよりも視線の高さが高く、且つ光源が正中面上から外れた位置にいる観者が視認する光点を示す斜視図である。
【図２７】図２６の矢視Ａから見た場合を示す平面図である。
【図２８】図２６の矢視Ｂから見た場合を示す側面図である。
【図２９】光源の高さと、視線の高さとがほぼ同一であり、且つ光源が正中面上に位置する観者が視認する光点を示す概念図である。
【図３０】光源の高さよりも視線の高さが高く、且つ光源が正中面上に位置する観者が視認する光点を示す概念図である。
【図３１】光源の高さと、視線の高さとがほぼ同一であり、且つ光源が正中面上から外れた位置にいる観者が視認する光点を示す概念図である。
【図３２】光源の高さよりも視線の高さが高く、且つ光源が正中面上から外れた位置にいる観者が視認する光点を示す斜視図である。
【図３３】照射光で描く図形が重なり合う場合を示す概念図である。
【符号の説明】
【００７８】
３０      商品展示室
３０ａ      前面開口
３１      商品見本
３２      透明板
３３      支持体
３４      商品見本取付板
３５      押ボタンユニット
３６      取付体
３７      押ボタンスイッチ
４０      展示室表示装置
４１      基板
４１ａ      取付凹部
４２      光照射手段
４２Ｘ      光線分
４２Ｙ      ブロック体
４２ａ      発光ダイオード
４４      光学素子
４６，４８      光透過シート
４９      光学要素
５０      制御部（制御手段）
５１      入力手段
５２      点滅パターン選択部（選択手段）
５３      点灯駆動部
５４      メモリ（記憶手段）
【図１】
2007233482.tif 000003
【図２】
2007233482.tif 000004
【図３】
2007233482.tif 000005
【図４】
2007233482.tif 000006
【図５】
2007233482.tif 000007
【図６】
2007233482.tif 000008
【図７】
2007233482.tif 000009
【図８】
2007233482.tif 000010
【図９】
2007233482.tif 000011
【図１０】
2007233482.tif 000012
【図１４】
2007233482.tif 000013
【図１５】
2007233482.tif 000014
【図１６】
2007233482.tif 000015
【図１７】
2007233482.tif 000016
【図１８】
2007233482.tif 000017
【図１９】
2007233482.tif 000018
【図２０】
2007233482.tif 000019
【図２１】
2007233482.tif 000020
【図２２】
2007233482.tif 000021
【図２３】
2007233482.tif 000022
【図２４】
2007233482.tif 000023
【図２５】
2007233482.tif 000024
【図２６】
2007233482.tif 000025
【図２７】
2007233482.tif 000026
【図２８】
2007233482.tif 000027
【図２９】
2007233482.tif 000028
【図３０】
2007233482.tif 000029
【図３１】
2007233482.tif 000030
【図３２】
2007233482.tif 000031
【図３３】
2007233482.tif 000032
【図１１】
2007233482.tif 000033
【図１２】
2007233482.tif 000034
【図１３】
2007233482.tif 000035